(57)【要約】【課題】確実に防塵できるとともに、耐久性のあるダストカバー及び、当該ダストカバーを備えた支承装置を提供することを目的とする。【解決手段】主桁２ａ及び橋脚３ａにおけるそれぞれの対向部分に配設した上沓２及び下沓３で構成し、上沓２及び下沓３との対向部分におけるベアリング３５とスライドプレート２１の摺動を許容する支承装置１であって、下沓３に、ベアリング３５を嵌め込むとともに、上沓２のスライドプレート２１の挿入を許容し、摺動部分Ｓが配置される挿着凹部３０ａを備え、挿着凹部３０ａの面内方向外側の挿着凹部３０ａ及び挿着凹部３０ａの内面のうち少なくともいずれかと、円柱本体２０とを跨ぐとともに、摺動部分Ｓの面内方向外側を囲うようにそれぞれと密着する環状部材のダストカバー４０を備えた。【選択図】図１
2014025195.tif 000002
【特許請求の範囲】
【請求項１】
上部構造物及び下部構造物におけるそれぞれの対向部分に配設した上沓及び下沓で構成し、該上沓及び下沓との対向部分における摺動面同士の摺動を許容する支承装置であって、
前記下沓に、
前記摺動面を構成する下沓摺動面構成部材を嵌め込むとともに、前記上沓の摺動面の挿入を許容し、前記上沓及び下沓の前記摺動面同士が摺動する摺動部分が配置される挿着凹部を備え、
前記挿着凹部の前記面内方向外側の下沓上面及び前記挿着凹部の内面のうち少なくともいずれかと、前記上沓とを跨ぐとともに、
前記摺動部分の面内方向外側を囲うようにそれぞれと密着する環状部材のダストカバーを備えた
支承装置。
【請求項２】
前記上沓を、底面に底面視円形の摺動面を有する略円柱状で構成し、
前記ダストカバーを、内側に平面視円形の開口を有する円形開口環状部材で構成した
請求項１に記載の支承装置。
【請求項３】
前記環状部材を、環状方向において複数に分割可能に構成した
請求項１または２に記載の支承装置。
【請求項４】
前記上沓に、前記摺動面より面内方向外側に突出するフランジ部を備えるとともに、
前記下沓に、前記上沓の摺動面における面内方向外側において前記フランジ部の浮き上がりを防止可能に構成したストッパーを備え、
前記ダストカバーが、
前記フランジ部の外側面、上面、及び前記上沓の外側面のうち少なくともいずれかに密着する構成とした
請求項１乃至３のうちいずれかに記載の支承装置。
【請求項５】
前記ストッパーを環状方向に複数配置し、
前記ストッパー同士の間をシールするサブダストカバーを備えた
請求項４に記載の支承装置。
【請求項６】
上部構造物及び下部構造物におけるそれぞれの対向部分に配設した上沓及び下沓で構成し、該上沓及び下沓との対向部分における摺動面同士の摺動を許容する支承装置に装着するダストカバーであって、
前記摺動面を構成する下沓摺動面構成部材を嵌め込むとともに、前記上沓の摺動面の挿入を許容し、前記上沓及び下沓の前記摺動面同士が摺動する摺動部分が配置される、前記下沓に備えた挿着凹部の前記面内方向外側の下沓上面及び前記挿着凹部の内面のうち少なくともいずれかと、前記上沓とを跨ぐとともに、前記摺動部分の面内方向外側を囲うようにそれぞれと密着する環状部材で構成する
ダストカバー。
【請求項７】
前記上沓を、底面に底面視円形の摺動面を有する略円柱状で構成し、
ダストカバー本体を、内側に平面視円形の開口を有する円形開口環状部材で構成した
請求項６に記載のダストカバー。
【請求項８】
前記上沓に、前記摺動面より面内方向外側に突出するフランジ部を備えるとともに、
前記下沓に、前記上沓の摺動面における面内方向外側において前記フランジ部の浮き上がりを防止可能に構成したストッパーを備え、
前記環状部材を、環状方向において複数に分割可能に構成し、
前記フランジ部の外側面、上面、及び前記上沓の外側面のうち少なくともいずれかに密着する構成とした
請求項６または７に記載のダストカバー。
【請求項９】
前記ストッパーを環状方向に複数配置し、
前記ストッパー同士の間をシールするサブダストカバーを備えた
請求項８に記載のダストカバー。
【発明の詳細な説明】
【技術分野】
【０００１】
この発明は、例えば、下部構造物で上部構造物を支持する支承装置、及び支承装置に装着するダストカバーに関する。
【背景技術】
【０００２】
従来より、例えば、橋梁、免震構造物、あるいは固定構造物同士を接続する接続部分等の相対的に可動する構造物では、主桁等の被支持構造物と、橋脚等の支持構造物との間に配設され、被支持構造物に固定された上沓と、支持構造物に固定された下沓との境界面、つまり摺動面同士が摺動する支承装置が設けられる。
【０００３】
しかし、この境界面である摺動面に、ゴミ、粉塵、あるいは埃などのダスト等が侵入すると、上沓と下沓とがスムーズに摺動しないおそれがある。また、ダスト等が侵入したまま上沓と下沓とが摺動すると、上沓と下沓の摺動面に傷が入って摺動抵抗が増大したり、摩耗が進むおそれがあった。さらには、上沓と下沓の摺動面同士が摺動する摺動部分に水等が侵入すると、摺動面が腐食したり、錆びたりして、摺動抵抗が増大するおそれがあった。
【０００４】
そのような問題に対して、特許文献１では、面内方向における境界面である摺動部分の外側を包囲するダストカバー（防塵カバー）が提案されている。  
このダストカバーは、平面視円形となる円筒状の弾性部材で構成し、下部構造物の境界面である摺動面に対して押し付けるように、上部構造物に固定している。これにより、上沓と下沓との境界面、つまり摺動面へのダストや水等の侵入を防止できるとされている。
【０００５】
しかし、上記ダストカバーは、下部構造物の摺動面に対して押し付けて防塵しているため、例えば、高荷重下において、ダストカバーと下部構造物の摺動面との摺動が繰り返されると、ダストカバーが磨耗したり、変形したりして、ダストカバーのシール性が低下するおそれがあった。
【先行技術文献】
【特許文献】
【０００６】
【特許文献１】実開平６−７１７３２号公報
【発明の概要】
【発明が解決しようとする課題】
【０００７】
そこで本発明では、確実に防塵できるとともに、耐久性のあるダストカバー及び、当該ダストカバーを備えた支承装置を提供することを目的とする。
【課題を解決するための手段】
【０００８】
この発明は、上部構造物及び下部構造物におけるそれぞれの対向部分に配設した上沓及び下沓で構成し、該上沓及び下沓との対向部分における摺動面同士の摺動を許容する支承装置であって、前記下沓に、前記摺動面を構成する下沓摺動面構成部材を嵌め込むとともに、前記上沓の摺動面の挿入を許容し、前記上沓及び下沓の前記摺動面同士が摺動する摺動部分が配置される挿着凹部を備え、前記挿着凹部の前記面内方向外側の下沓上面及び前記挿着凹部の内面のうち少なくともいずれかと、前記上沓とを跨ぐとともに、前記摺動部分の面内方向外側を囲うようにそれぞれと密着する環状部材のダストカバーを備えたこと、または当該構成のダストカバーであることを特徴とする。
【０００９】
上記上部構造物及び下部構造物は、例えば、橋脚を下部構造物とし、主桁を上部構造物とする橋梁、ビルを下部構造物とし、ビルとビルとを連絡する渡り廊下を上部構造物とする連絡通路、柱を下部構造物とし、トラス屋根を上部構造物とする屋根構造、あるいは、ビルを下部構造物とし、別のビルを上部構造物とするエキスパンション構造における構造物とすることができる。  
上記環状部材は、平面視円形リング部材のみならず、閉鎖形状であれば、外形が矩形や多角形のリング部材も含む概念である。
【００１０】
上記支承装置は、回転方向の移動のみを許容する固定支承あるいは可動支承であり、可動支承としては、摺動面における面内方向の任意の方向に可動する全方向可動支承、あるいは面内方向の一方向に可動する一方向可動支承とすることができる。
【００１１】
上記面内方向は、例えば、上沓及び下沓との対向部分における摺動面が平面である場合、摺動面同士が摺動する摺動部分を構成する平面上の方向であり、該平面に交差する方向を含まない概念である。
【００１２】
上述の前記挿着凹部の前記面内方向外側の下沓上面は、下沓本体において前記挿着凹部が形成された前記面内方向外側の上面、あるいは下沓本体に固定した部材を介した当該上面部分であることを含む概念とする。  
また、上述の前記挿着凹部の内面は、挿着凹部における内側面や、高さ方向中間部分で縮径された挿着凹部における縮径部分の底面等を含む概念である。
【００１３】
さらに、上述の前記挿着凹部の前記面内方向外側の下沓上面及び前記挿着凹部の内面のうち少なくともいずれかと、前記上沓とを跨ぐとともに、前記摺動部分の面内方向外側を囲うようにそれぞれと密着する環状部材は、環状部材の外径側が前記挿着凹部の前記面内方向外側の下沓上面及び前記挿着凹部の内面のうち少なくともいずれかと環状に密着し、環状部材の内径側が前記上沓と環状に密着することで、環状部材が前記挿着凹部の前記面内方向外側の下沓上面及び前記挿着凹部の内面のうち少なくともいずれかと、前記上沓とを跨ぐようにそれぞれに密着することを示している。
【００１４】
また、上述の摺動部分の面内方向外側を囲うように密着するとは、摺動部分の面内方向外側において、連続して環状に囲うように、沓に密着することを指し、さらに、密着するとは、ダストや水等が侵入することなく、密着部分に隙間なく接着する状態や、摺動可能に接触する状態を含む概念である。  
上記環状部材は、摺動部分の面内方向外側を囲めばよく、面内方向における円形、略矩形あるいは略三角形等の略多角形で構成することができる。
【００１５】
この発明により、耐久性のあるダストカバーで摺動面へダストや水等が侵入することを防止できる。  
詳しくは、前記挿着凹部の前記面内方向外側の下沓上面及び前記挿着凹部の内面のうち少なくともいずれかと、前記上沓とを跨ぐとともに、前記摺動部分の面内方向外側を囲うようにそれぞれと密着する環状部材のダストカバーを備えたことにより、例えば、高荷重下であっても磨耗したり、変形したりすることなく、確実にシールすることができる。
【００１６】
また、ダストカバーが、下沓側の前記挿着凹部の内面、及び前記挿着凹部の前記面内方向外側の上面のうち少なくともいずれかに密着することで様々な形状の下沓であっても、挿着凹部内に位置する摺動部分より上方を確実にシールすることができる。  
したがって、摺動部分へのダストや水等の侵入経路をダストカバーで塞ぐことで、摺動部分へダストや水等が侵入することを防止できる。
【００１７】
この発明の態様として、前記上沓を、底面に底面視円形の摺動面を有する略円柱状で構成し、前記ダストカバーを、内側に平面視円形の開口を有する円形開口環状部材で構成することができる。
【００１８】
この発明により、上沓と下沓の両方に密着してシールするダストカバーを、底面に底面視円形の摺動面を有する略円柱状で構成した上沓の形状に合わせて、内側に平面視円形の開口を有する円形開口環状部材で構成することにより、例えば、矩形開口を有する環状部材で構成する場合に比べて、シール性を向上することができる。
【００１９】
詳しくは、略円柱状の上沓に対して、矩形開口を有する環状部材で構成するダストカバーの場合、矩形開口における内周縁部と、円柱状の上沓との間隔が周方向において異なるため、環状のダストカバーの周方向においてシール性が均一とならない。これに対し、円形開口における内周縁部と円柱状の上沓との間隔が周方向において変化せず、均一なシール性を確保することができる。したがって、円形開口を有する円形開口環状部材が円柱状の上沓に密着することで、シール性を向上することができる。
【００２０】
またこの発明の態様として、前記環状部材を、環状方向において複数に分割可能に構成することができる。  
この発明により、上沓と下沓を対向させて支承装置を組み付けた状態であっても、環状のダストカバーを分割して、容易に交換や整備等を行うことができる。したがって、向上されたシール性を、長期にわたって維持することができる。
【００２１】
またこの発明の態様として、前記上沓に、前記摺動面より面内方向外側に突出するフランジ部を備えるとともに、前記下沓に、前記上沓の摺動面における面内方向外側において前記フランジ部の浮き上がりを防止可能に構成したストッパーを備え、前記ダストカバーが、前記フランジ部の外側面、上面、及び前記上沓の外側面のうち少なくともいずれかに密着する構成とすることができる。  
この発明により、例えば、浮き上がり防止可能な支承装置であっても、ダストカバーによって確実にシールすることができる。
【００２２】
またこの発明の態様として、前記ストッパーを環状方向に複数配置し、前記ストッパー同士の間をシールするサブダストカバーを備えることができる。  
この発明により、ストッパーを備えたことにより、ダストカバーが複雑な形状となることなく、確実なシール性を確保することができる。詳しくは、下沓に、上沓のフランジ部を所定方向に拘束するストッパーを備えたことにより、下沓に接触するダストカバーの形状が複雑になり、例えばストッパー同士の間等におけるシール性が低下するおそれがある。これに対し、ストッパー同士の間をシールするサブダストカバーを備えたことにより、サブダストカバーでストッパー同士の間におけるシール性を確保することができる。また、サブダストカバーによりストッパー同士の間をシールするため、容易に、ダストカバーにおけるシール性を確保することができる。
【発明の効果】
【００２３】
本発明により、確実に防塵できるとともに、耐久性のあるダストカバー及び、当該ダストカバーを備えた支承装置を提供することができる。
【図面の簡単な説明】
【００２４】
【図１】支承装置の一部切断斜視図。
【図２】支承装置の縦断面図。
【図３】支承装置の分解斜視図。
【図４】支承装置及びダストカバーの組付けについての説明図。
【図５】支承装置及びダストカバーの組付けについての説明図。
【図６】他の実施形態のダストカバーについての拡大断面図による説明図。
【発明を実施するための形態】
【００２５】
この発明の一実施形態を以下図面と共に説明する。  
図１は支承装置１の一部切断斜視図を示し、図２は支承装置１の縦断面図を示し、図３は支承装置１の分解斜視図を示し、図４、５は支承装置１及びダストカバー４０の組付けについての説明図を示している。
【００２６】
各図面について詳細に説明すると、図１において、上沓２と下沓３とで構成する支承装置１の構成について理解を容易にするため、上沓２と下沓３とを組み付けて構成した支承装置１の手前側の一部を切り欠いた状態の斜視図を示している。
【００２７】
また図２は、支承装置１の縦断面図を示しているが、中心線ＣＬより右側を図１におけるＡ−Ａ矢視図を示し、中心線ＣＬより左側を図１におけるＢ−Ｂ矢視図を示している。
【００２８】
図３は、上沓２及び下沓３で構成する支承装置１及びダストカバー４０を分解した状態の斜視図を示している。なお、図１及び図３、並びに後述する図４及び図５では、図２及び図６において破線で示す上部構造物２ａ及び下部構造物３ａの図示を省略している。また、図３も、図１と同様に、支承装置１の構成について理解を容易にするため、手前側の一部を切り欠いた状態の斜視図を示している。
【００２９】
支承装置１及びダストカバー４０の組付けについての説明図である図４の図４（ａ）は下沓３のベースポット本体３０の挿着凹部３０ａに上沓２を挿入した状態の斜視図を示し、図４（ｂ）はベースポット本体３０にストッパー３６を取り付けた状態の斜視図を示し、図４（ｃ）はベースポット本体３０にサブダストカバー４２を取り付けた状態の斜視図を示し、図４（ｄ）はベースポット本体３０にメインダストカバー４１を取り付けて組み付けが完了した状態の支承装置１の斜視図を示している。
【００３０】
なお、図４（ｅ）、（ｆ）は別の実施形態のメインダストカバー４１についての説明図を示し、詳しくは、図４（ｅ）は分割可能に構成したメインダストカバー４１の斜視図を示し、図４（ｆ）は分割可能に構成したメインダストカバー４１を組み付けた状態の斜視図を示している。  
図５（ａ）乃至（ｄ）は、図４（ａ）乃至（ｄ）における各状態の平面図を示している。
【００３１】
支承装置１は、上部構造物である主桁２ａ（図２において破線で示す）を、下部構造物である橋脚３ａ（図２において破線で示す）で支持する橋梁における支承装置であり、主桁２ａの底面に固定された上沓２と、橋脚の上面に固定された下沓３と、ダストカバー４０とで構成し、下沓３に対する上沓２の水平面内回転を許容する構成である。
【００３２】
上沓２は、略円柱状に構成され、底面にスライドプレート２１を備えた円柱本体２０と、円柱本体２０の下端部において径方向外側に突出するフランジ部２２とで構成している。なお、スライドプレート２１は、ＳＵＳ３０４で構成し、その底面は研磨仕上げされている。
【００３３】
下沓３は、下から順に、上面に挿着凹部３０ａを有するベースポット本体３０と、弾性プレート３１、シム３２、シールリング３３、ピストン３４、ベアリング３５、及びストッパー３６で構成している。
【００３４】
ベースポット本体３０は、橋脚３ａに取り付けられる平面視矩形であり、本体上面３０ｂに上述する弾性プレート３１、シム３２、シールリング３３、ピストン３４及びベアリング３５並びに上沓２が、下からこの順で挿入される平面視円形の挿着凹部３０ａが開口している。
【００３５】
なお、挿着凹部３０ａは、弾性プレート３１、シム３２、シールリング３３、ピストン３４及びベアリング３５が挿入され、これらと略同じ径で形成された小径開口部３０ａａと、円柱本体２０のフランジ部２２の外径よりひとまわり大きな径で形成した大径開口部３０ａｂとが上下に連続して形成されている。
【００３６】
弾性プレート３１は、挿着凹部３０ａの小径開口部３０ａａよりわずかに小さな径の平面視円形、且つ小径開口部３０ａａの深さの半分程度の高さを有するゴム製のプレートである。  
シム３２は、弾性プレート３１と同じ径の平面視円形形状で形成したフッ素樹脂製の薄板で形成している。
【００３７】
シールリング３３は、径外側が垂直面となる断面台形状の円形リングであり、外径が弾性プレート３１及びシム３２と同じ径で形成し、シールリング３３における台形断面における内径側が、連続して上方に向かうにつれ径外側に広がる傾斜面で形成している。
【００３８】
ピストン３４は、ステンレス製の略円錐台形状であり、シールリング３３の嵌合を許容する嵌合溝３４ａを外周面の下端に形成している。  
ベアリング３５は、フッ素樹脂で構成された平面視円形の板状体であり、自己潤滑性を有しており、表面が低摩擦係数であり、ピストン３４の上面に接合されている。なお、ピストン３４の上面にベアリング３５が嵌合する円形挿着凹部を形成し、円形挿着凹部にベアリング３５をはめ込んで接合してもよい。
【００３９】
ストッパー３６は、所定長さのＬ型断面部材で構成し、平面視矩形に形成したベースポット本体３０の対向する辺において、側面視Ｌ型の内角部がベースポット本体３０の角部に沿うように配置し、ストッパー３６のストッパ上面部分３６ａが、ベースポット本体３０の本体上面３０ｂに形成した挿着凹部３０ａにおいて径内側に突出するように装着される。
【００４０】
支承装置１に装着するダストカバー４０は、平面視リング状のメインダストカバー４１と、メインダストカバー４１の下面側に配置されるサブダストカバー４２とを重ね合わせて構成している。メインダストカバー４１とサブダストカバー４２はともに、独立気泡性のＣＲ系あるいはＥＰＤＭ系のスポンジゴムで構成している。なお、ダストカバー４０は、耐候性、非吸水性、下沓３に対する上沓２の回転を妨げない変形性を有する材質であれば、ＣＲ系あるいはＥＰＤＭ系のスポンジゴムに限定されない。
【００４１】
メインダストカバー４１は、円柱本体２０の外径と略同一な径の円形開口４１ａを有するとともに、フランジ部２２の外径よりひと回り大きな外径を有する平面視リング状に形成し、周方向の一部に、径方向に対して交差する方向に切断した切断部４１ｂを形成している。
【００４２】
サブダストカバー４２は、メインダストカバー４１の円形開口４１ａの径と、メインダストカバー４１の外径を有するアーチ状に形成し、その長さは、上述したように対向配置したストッパー３６同士の間に配置して、その間を塞ぐ長さで形成している。また、サブダストカバー４２は、ストッパー３６のストッパ上面部分３６ａと略同じ高さ（厚み）で構成し、ベースポット本体３０の本体上面３０ｂに対して、ストッパー３６同士の間に接着固定される。そして、メインダストカバー４１は、本体上面３０ｂに接着されたサブダストカバー４２とストッパー３６のストッパ上面部分３６ａとを跨ぐように、サブダストカバー４２とストッパ上面部分３６ａの上面に接着固定している。
【００４３】
上述したような構成でそれぞれが構成された支承装置１は、下沓３のベースポット本体３０の挿着凹部３０ａに、弾性プレート３１、シム３２、嵌合溝３４ａにシールリング３３を装着したピストン３４、並びにベアリング３５を、下からこの順で小径開口部３０ａａに挿着する。このとき、ピストン３４の上部及びベアリング３５は、小径開口部３０ａａの上部に露出する状態で挿着される。
【００４４】
そして、スライドプレート２１が底面に装着された円柱本体２０を、ベアリング３５とスライドプレート２１が対向するように大径開口部３０ａｂに挿着し（図４（ａ）及び図５（ａ）参照）、その円柱本体２０のフランジ部２２より上方からストッパー３６をベースポット本体３０に取り付ける（図４（ｂ）及び図５（ｂ）参照）。
【００４５】
このとき、スライドプレート２１の底面と大径開口部３０ａｂの底面との間には高さ方向のクリアランスが形成されるとともに、フランジ部２２の外側面と大径開口部３０ａｂの内側面との間にも径方向のクリアランスが形成される。
【００４６】
さらには、ストッパー３６の底面とフランジ部２２の上面との間に高さ方向のクリアランスが形成されるとともに、ストッパー３６における径内側に突出する部分の端部と円柱本体２０の外側面との間にも径方向のクリアランスが形成される。
【００４７】
この状態では、挿着凹部３０ａの径内側向きに突出するように取り付けられたストッパー３６によって上沓２のフランジ部２２は、上部において上下方向の移動が制限され、上沓２は下沓３に対して、水平面内方向の回転可能な支承状態となる。
【００４８】
しかしながら、上述したように、スライドプレート２１の底面と大径開口部３０ａｂの底面との間、及びストッパー３６の底面とフランジ部２２の上面との間に高さ方向のクリアランス、並びに、フランジ部２２の外側面と大径開口部３０ａｂの内側面との間、及びストッパー３６における径内側に突出する部分の端部と円柱本体２０の外側面との間に径方向のクリアランスが形成され、さらには、弾性プレート３１の弾性により、上沓２と下沓３は、図２に示すように、所定角度θの鉛直面内方向における回転が許容される状態となる。
【００４９】
続いて、図４（ｃ）及び図５（ｃ）に示すように、対向配置したストッパー３６同士の間にサブダストカバー４２を配置し、接着剤で固定する。詳しくは、ストッパー３６の幅方向両側同士の間において、サブダストカバー４２の内周側が円柱本体２０の外側面に接触し、挿着凹部３０ａにおいて、上方から望んで露出するフランジ部２２に被せるようにして、ベースポット本体３０の本体上面３０ｂにサブダストカバー４２を固定する。このとき、サブダストカバー４２はストッパー３６のストッパ上面部分３６ａと同じ厚みで形成しているため、サブダストカバー４２の上面と、ストッパー３６のストッパ上面部分３６ａとは略面一となる。
【００５０】
そして、図４（ｄ）及び図５（ｄ）に示すように、サブダストカバー４２及びストッパ上面部分３６ａを跨ぐようにメインダストカバー４１を装着し、接着剤で固定する。このとき、メインダストカバー４１の切断部４１ｂを開き、円柱状の円柱本体２０の外側面に、円形開口４１ａを形成する内周縁が密着状態で、接着せずにメインダストカバー４１を装着して、支承装置１の組み付けを完了する。  
このようにして組み付けられた支承装置１は、現場で主桁２ａ及び橋脚３ａの間の所定箇所に運ばれて設置する。
【００５１】
このように、ダストカバー４０を備えた支承装置１では、上沓２が下沓３に対して水平面内方向の回転可能に支承する状態において、メインダストカバー４１及びサブダストカバー４２の内周側面が円柱本体２０の外側面と摺動しながら挿着凹部３０ａの上部を覆うことで、ベースポット本体３０のベアリング３５と、円柱本体２０のスライドプレート２１とが摺動する摺動部分Ｓへのダストや水等の侵入を防止することができる。
【００５２】
詳述すると、主桁２ａ及び橋脚３ａにおけるそれぞれの対向部分に配設し、上沓２及び下沓３におけるスライドプレート２１及びベアリング３５の摺動を許容する支承装置１において、摺動部分Ｓが配置される挿着凹部３０ａの面内方向外側の本体上面３０ｂと、底面に底面視円形のスライドプレート２１を有する略円柱状で構成した円柱本体２０とを跨いでそれぞれに密着するダストカバー４０により、挿着凹部３０ａ内部における摺動部分Ｓより上部で、摺動部分Ｓへのダストの侵入経路をシールすることができる。
【００５３】
つまり、ベースポット本体３０の本体上面３０ｂに開口するため、ダストや水等が侵入しやすく、たまりやすい挿着凹部３０ａの内部で上沓２と下沓３とが摺動部分Ｓで摺動するが、挿着凹部３０ａ内部における摺動部分Ｓより上部で、摺動部分Ｓへのダストや水等の侵入経路となる挿着凹部３０ａの開口部分をダストカバー４０で覆ってシールするため、摺動部分Ｓより上部で摺動面へのダストの侵入経路をシールし、摺動部分Ｓへのダストや水等の侵入を防止することができる。
【００５４】
また、ダストカバー４０を、耐候性、非吸水性、下沓３に対する上沓２の回転を妨げない変形性を有する材質である独立気泡性のＣＲ系あるいはＥＰＤＭ系のスポンジゴムで構成しているため、円柱本体２０及び本体上面３０ｂに対するダストカバー４０の密着性は高く、より確実に摺動部分Ｓへのダストや水等の侵入を防止できる。
【００５５】
なお、硬度が１０〜３５、より好ましくは２０〜３０で設定された、耐候性、非吸水性、下沓３に対する上沓２の回転を妨げない変形性を有する材質でダストカバー４０を構成することにより、より耐久性が高く、ダストカバー４０に求められる所望の機能を十分に発揮することができる。
【００５６】
また、ダストカバー４０の円形開口４１ａを、円柱本体２０の外径に応じた平面視円形に形成したことにより、例えば、矩形開口を有する環状部材でダストカバーを構成する場合に比べて、均一な密着状態でシールして確実に摺動部分Ｓへのダストや水等の侵入を防止することができる。
【００５７】
また、ベースポット本体３０において対向配置したストッパー３６同士の間を塞ぐようにサブダストカバー４２を備え、メインダストカバー４１が、フランジ部２２の上方の円柱本体２０の外側面及びフランジ部２２の上面と、サブダストカバー４２及びストッパ上面部分３６ａとを跨いで密着するため、ダストカバー４０で確実に摺動部分Ｓへのダストや水等の侵入を防止することができる。
【００５８】
詳しくは、上沓２のフランジ部２２の上方への移動を制限するストッパー３６をベースポット本体３０において対向配置したことにより、上沓２及び下沓３に密着するダストカバー４０の形状が複雑になり、例えばストッパー３６同士の間等におけるシール性が低下するおそれがあるが、ストッパー３６同士の間をシールするサブダストカバー４２を備えるとともに、メインダストカバー４１が、フランジ部２２の上方の円柱本体２０の外側面及びフランジ部２２の上面と、サブダストカバー４２及びストッパ上面部分３６ａとを跨いで密着するため、ダストカバー４０でストッパー３６同士の間におけるダストや水等の侵入経路をシールすることができる。
【００５９】
また、組み立て環境が整った工場等で、上沓２と下沓３とを組み付け、ダストカバー４０を装着して支承装置１を構成してから運搬して、施工環境が厳しい現場における所定箇所に設置できるため、取り付け作業性が向上する。また、組み立て環境が整った工場等で上沓２と下沓３とを組み付けてからダストカバー４０を装着するため、現場で主桁２ａに上沓２を取り付け、橋脚３ａに下沓３を取り付けて、所定箇所に支承装置１を構成する場合に比べて、施工性が格段に向上する。また、ダストカバー４０を装着してから支承装置１を運び出すため、運搬途中や、設置途中に、摺動部分Ｓにダストや水等が侵入することを防止できる。
【００６０】
また、上沓２は下沓３に対してストッパー３６により、上下移動が規制されるものの、上述したように、スライドプレート２１の底面と大径開口部３０ａｂの底面との間、及びストッパー３６の底面とフランジ部２２の上面との間に高さ方向のクリアランス、並びに、フランジ部２２の外側面と大径開口部３０ａｂの内側面との間、及びストッパー３６における径内側に突出する部分の端部と円柱本体２０の外側面との間に径方向のクリアランスが形成されるとともに、下沓３を構成する弾性プレート３１が弾性を有するため、所定角度θの鉛直面内方向における回転が許容される状態で下沓３に対して上沓２を支承することができる。
【００６１】
なお、上述の説明では、図２及び図６（ａ）に示すように、サブダストカバー４２をベースポット本体３０の本体上面３０ｂにおける所定位置に接着固定し、メインダストカバー４１をサブダストカバー４２及びストッパ上面部分３６ａに接着固定し、メインダストカバー４１の円形開口４１ａを形成する内周縁と円柱本体２０の外側面が摺動する構成であったが、サブダストカバー４２を本体上面３０ｂに接着固定し、メインダストカバー４１を円柱本体２０の外側面に接着固定して、サブダストカバー４２の上面及びストッパ上面部分３６ａと、メインダストカバー４１の底面とが摺動してもよい。また、メインダストカバー４１は、円柱本体２０の外側面、サブダストカバー４２及びストッパ上面部分３６ａのいずれとも接着せず、円柱本体２０の外側面並びにサブダストカバー４２及びストッパ上面部分３６ａと摺動する構成であってもよい。
【００６２】
また、メインダストカバー４１とサブダストカバー４２とを接着により一体化してダストカバー４０を構成してもよく、また、メインダストカバー４１とサブダストカバー４２とを予め一体成型してダストカバー４０を構成してもよい。この場合、円柱本体２０の外側面と接着しなければ、本体上面３０ｂやストッパ上面部分３６ａに接着固定しても、しなくてもよい。
【００６３】
このように、円柱本体２０の外側面とダストカバー４０とを接着せずに摺動させる、あるいはメインダストカバー４１を円柱本体２０の外側面と接着し、メインダストカバー４１と、サブダストカバー４２及びストッパ上面部分３６ａとの対向面で摺動させても、ダストカバー４０により、下沓３に対する上沓２の回転を規制することはない。
【００６４】
さらには、図６（ｂ）に示すように、挿着凹部３０ａの大径開口部３０ａｂを深く形成し、円柱本体２０の外側面及びフランジ部２２の上面と、大径開口部３０ａｂの内側面とを跨いで密着するようにダストカバー４０を備えてもよい。このとき、ダストカバー４０は、円柱本体２０の外側面及びフランジ部２２の上面と、大径開口部３０ａｂの内側面とのいずれか一方に接着し、他方と摺動してもよく、さらには、いずれとも接着せず、両方と摺動してもよい。
【００６５】
また、図６（ｃ）に示すように、３０ａの大径開口部３０ａｂを深く形成し、円柱本体２０の外側面及びフランジ部２２の上面と、大径開口部３０ａｂの内側面に加えて、ベースポット本体３０の本体上面３０ｂとを跨いで密着するようにダストカバー４０を備えてもよい。
【００６６】
さらには、フランジ部２２を備えない上沓２であっても、図６（ｄ）に示すように、円柱本体２０の外側面と、大径開口部３０ａｂの内側面及びベースポット本体３０の本体上面３０ｂとを跨いで密着するようにダストカバー４０を備えてもよい。
【００６７】
また、図６（ｅ）に示すように、フランジ部２２を備えない上沓２において、円柱本体２０の外側面と、大径開口部３０ａｂの内側面及び大径開口部３０ａｂの底面とを跨いで密着するようにダストカバー４０を備えてもよい。さらには、図６（ｆ）に示すように、フランジ部２２を備えない上沓２において、円柱本体２０の外側面と、大径開口部３０ａｂの内側面及び大径開口部３０ａｂの底面に加えてベースポット本体３０の本体上面３０ｂとを跨いで密着するようにダストカバー４０を備えてもよい。
【００６８】
このように、ダストカバー４０は、上沓２と挿着凹部３０ａとの形状に応じて様々な形態をとることができる。このように、上沓２と挿着凹部３０ａの形状に応じた形態のダストカバー４０を用いることにより、摺動部分Ｓへのダストや水等の侵入経路を塞いで、摺動部分Ｓのダストや水等の侵入を確実に防ぐことができる。  
なお、上述の様々な形状のダストカバー４０は、一体形成してもよいし、メインダストカバーとサブダストカバーとを組み合わせ可能に別体構成してもよい。
【００６９】
また、上述のように、ダストカバー４０は、本体上面３０ｂや円柱本体２０の外側面等に密着させ、また、接着材等で固定するため、タップを切ったりして、ボルトでダストカバー４０を固定する場合に比べて、容易にダストカバー４０を所定箇所にセットすることができる。
【００７０】
以上、本発明の構成と、前述の実施態様との対応において、
本実施形態の摺動面は、スライドプレート２１及びベアリング３５の対向面で構成する摺動部分Ｓに対応し、
以下同様に、
上部構造物は、主桁２ａに対応し、
下部構造物は、橋脚３ａに対応し、
上沓及び一方の沓は、上沓２に対応し、
下沓及び他方の沓は、下沓３に対応し、
一方の沓における摺動面は、スライドプレート２１に対応し、
ダストカバー及び円形開口環状部材は、ダストカバー４０に対応し、
下沓摺動面構成部材は、弾性プレート３１、シム３２、シールリング３３、ピストン３４及びベアリング３５に対応するも、上記実施形態に限定するものではない。
【００７１】
例えば、橋脚で主桁を支持する場合の支承装置１について説明したが、ビルとビルとを連絡する渡り廊下をビルから支持する場合の支承装置、トラス屋根を柱で支持する場合の支承装置、あるいは、ビル同士を接続するエキスパンション構造における支承装置として用いてもよい。
【００７２】
また、上述の説明では、回転方向の移動のみを許容する固定支承である支承装置１について説明したが、摺動部分Ｓにおける面内方向の任意の方向に可動する全方向可動支承、あるいは面内方向の一方向に可動する一方向可動支承など可動支承装置であってもよい。
【００７３】
また、ダストカバー４０を構成するメインダストカバー４１に切断部４１ｂを備えて、切断部４１ｂを開いて円柱本体２０に装着したが、図４（ｅ）、（ｆ）に示すように、メインダストカバー４１を分割可能に構成してもよい。このとき、分割したメインダストカバー４１の端部は、径方向に対して交差する方向に形成することによって、図４（ｆ）に示すように、分割可能に構成したメインダストカバー４１を組み付けた状態で、径方向のダストや水等の侵入を防止できる。また、上沓２と下沓３を対向させて支承装置１を組み付けた状態であっても、環状のダストカバー４０を分割して、容易に交換や整備等を行うことができる。したがって、向上されたシール性を、長期にわたって維持することができる。
【符号の説明】
【００７４】
１…支承装置
２…上沓
２ａ…主桁
３…下沓
３ａ…橋脚
２２…フランジ部
３０ａ…挿着凹部
３１…弾性プレート
３２…シム
３３…シールリング
３４…ピストン
３５…ベアリング
３６…ストッパー
４０…ダストカバー
４２…サブダストカバー
Ｓ…摺動部分
【図１】
2014025195.tif 000003
【図２】
2014025195.tif 000004
【図３】
2014025195.tif 000005
【図４】
2014025195.tif 000006
【図５】
2014025195.tif 000007
【図６】
2014025195.tif 000008